(57)【要約】  所定のイベントをユーザにアラートする無線通信装置（１０）は、トランシーバ（１８）、スピーカ（３２）、メモリ（１２）、およびコントローラ（３６）を含む。第１および第２の事前に録音されたオーディオファイルがメモリ（１２）に格納されるが、これらは例えば、事前に録音されたミュージックおよびユーザの事前に録音された声とすることができる。装置が着信呼を受信すると、例えば、コントローラ（３６）は、第１のオーディオファイルと第２のオーディオファイルとを合成して合成オーディオ信号を形成する。コントローラ（３６）は、合成オーディオ信号を個人用の着信音として、スピーカ（３２）を通じてユーザに対して再生する。
2007517461.tif 000002
【特許請求の範囲】
【請求項１】
無線通信装置（１０）のユーザにアラートする方法であって、
第１のオーディオファイルと第２のオーディオファイルとを合成して合成オーディオ信号を形成するステップと、
所定のイベントに応答して、前記無線通信装置（１０）のスピーカ（３２）を通じて前記合成オーディオ信号を再生するステップと、
を有することを特徴とする方法。
【請求項２】
前記第１のオーディオファイルは、事前に録音されたミュージックファイルであることを特徴とする請求項１に記載の方法。
【請求項３】
前記第２のオーディオファイルは、ボイスファイルであることを特徴とする請求項１に記載の方法。
【請求項４】
前記ボイスファイルは、ユーザの事前に録音された声を含むことを特徴とする請求項３に記載の方法。
【請求項５】
前記第１のオーディオファイルを前記第２のオーディオファイルに関連付けるステップを更に有することを特徴とする請求項１に記載の方法。
【請求項６】
前記第１のオーディオファイルを前記第２のオーディオファイルに関連付けるステップは、前記第１のオーディオファイルおよび前記第２のオーディオファイルを識別するコンフィギュレーション・ファイルをメモリ（１２）に格納するステップを含むことを特徴とする請求項５に記載の方法。
【請求項７】
前記第１のオーディオファイルを前記第２のオーディオファイルに関連付けるステップは、前記第２のオーディオファイルの再生を前記第１のオーディオファイルに同期させるためのタイミング情報を格納するステップを更に含むことを特徴とする請求項６に記載の方法。
【請求項８】
前記メモリ（１２）に格納された同期情報に従って、前記第１のオーディオファイルと第２のオーディオファイルとを合成するための信号を生成するステップを更に有することを特徴とする請求項１に記載の方法。
【請求項９】
前記同期情報は、前記第２のオーディオファイルの再生を前記第１のオーディオファイルに同期させるタイムスタンプを含むことを特徴とする請求項８に記載の方法。
【請求項１０】
前記所定のイベントは着信呼であることを特徴とする請求項１に記載の方法。
【請求項１１】
前記所定のイベントはアラームであることを特徴とする請求項１に記載の方法。
【請求項１２】
前記所定のイベントはページングであることを特徴とする請求項１に記載の方法。
【請求項１３】
前記所定のイベントはアラートであることを特徴とする請求項１に記載の方法。
【請求項１４】
前記無線通信装置（１０）に通信可能に接続されたマイクロホン（３０）を使用して、ユーザの声を録音するステップを更に有することを特徴とする請求項１に記載の方法。
【請求項１５】
前記第１のオーディオファイルと第２のオーディオファイルとを合成して合成オーディオ信号を形成するステップは、前記所定のイベントに応答して実行されることを特徴とする請求項１に記載の方法。
【請求項１６】
無線通信装置（１０）のユーザにアラートする方法であって、
前記無線通信装置（１０）のメモリ（１２）に第１のオーディオファイルを格納するステップと、
前記無線通信装置（１０）の前記メモリに第２のオーディオファイルを格納するステップと、
着信呼に応答して、前記第１のオーディオファイルと前記第２のオーディオファイルとを合成して合成オーディオ信号を形成するステップと、
前記無線通信装置において前記合成オーディオ信号を着信音として再生するステップと、
を有することを特徴とする方法。
【請求項１７】
前記無線通信装置（１０）に通信可能に接続されたマイクロホン（３０）を使用して、ユーザの声を録音するステップを更に有することを特徴とする請求項１６に記載の方法。
【請求項１８】
前記第１のオーディオファイルと前記第２のオーディオファイルとを関連付けるために、前記メモリ（１２）に同期データを格納するステップを更に有することを特徴とする請求項１６に記載の方法。
【請求項１９】
前記同期データに従って、前記第１のオーディオファイルと前記第２のオーディオファイルとを合成するための信号を生成するステップを更に有することを特徴とする請求項１８に記載の方法。
【請求項２０】
前記同期データは、前記メモリ（１２）に格納された前記第１のオーディオファイルおよび前記第２のオーディオファイルを識別する情報を含むことを特徴とする請求項１８に記載の方法。
【請求項２１】
前記同期データは、前記第２のオーディオファイルの再生を前記第１のオーディオファイルの再生に同期させる情報を更に含むことを特徴とする請求項２０に記載の方法。
【請求項２２】
前記第１のオーディオファイルと前記第２のオーディオファイルとを合成して合成オーディオ信号を形成するステップは、事前に録音されたミュージックファイルを事前に録音されたボイスファイルとミックスするステップを含むことを特徴とする請求項１６に記載の方法。
【請求項２３】
前記事前に録音されたボイスファイルは、ユーザの声を含むことを特徴とする請求項１７に記載の方法。
【請求項２４】
無線トランシーバ（１８）と、
ユーザに対してオーディオを出力するためのスピーカ（３２）と、
第１のオーディオファイルおよび第２のオーディオファイルを格納するためのメモリ（１２）と、
所定のイベントに応答して、前記第１のオーディオファイルおよび前記第２のオーディオファイル合成オーディオ信号として前記スピーカ（３２）を通じて再生するためのコントローラ（３６）と、
を有することを特徴とする無線通信装置（１０）。
【請求項２５】
前記スピーカ（３２）を通じて前記第１のオーディオファイルを再生している間に、前記第２のオーディオファイルを録音するためのマイクロホン（３０）を更に有することを特徴とする請求項２４に記載の無線通信装置。
【請求項２６】
前記マイクロホン（３０）は、ユーザの声を録音することを特徴とする請求項２５に記載の無線通信装置。
【請求項２７】
前記マイクロホン（３０）は、前記無線通信装置（１０）に結合されるハンズフリーヘッドセット（２２）に設けられることを特徴とする請求項２６に記載の無線通信装置。
【請求項２８】
前記コントローラ（３６）は、更に、前記第１のオーディオファイルを前記第２のオーディオファイルに関連付け、該関連付けを前記メモリ（１２）に格納するように構成されることを特徴とする請求項２４に記載の無線通信装置。
【請求項２９】
前記関連付けは、前記メモリ（１２）に格納された前記第１のオーディオファイルおよび前記第２のオーディオファイルを識別する識別データを含むことを特徴とする請求項２８に記載の無線通信装置。
【請求項３０】
前記関連付けは、前記第２のオーディオファイルの再生を前記第１のオーディオファイルの再生に同期させるタイミングデータを更に含むことを特徴とする請求項２９に記載の無線通信装置。
【請求項３１】
前記コントローラ（３６）は、更に、前記メモリ（１２）に格納された前記関連付けに従ってシンセサイザ（４２）を制御するように構成されることを特徴とする請求項３０に記載の無線通信装置。
【請求項３２】
前記コントローラ（３６）と前記メモリ（１２）とに通信可能に結合されるシンセサイザ（４２）を更に有することを特徴とする請求項２４に記載の無線通信装置。
【請求項３３】
前記コントローラ（３６）は、更に、前記シンセサイザ（４２）に前記所定のイベントに応答して前記第１のオーディオファイルと前記第２のオーディオファイルとを合成させるように構成されることを特徴とする請求項３２に記載の無線通信装置。
【請求項３４】
前記所定のイベントは着信呼であることを特徴とする請求項２４に記載の無線通信装置。
【請求項３５】
前記所定のイベントはアラームであることを特徴とする請求項２４に記載の無線通信装置。
【請求項３６】
前記所定のイベントはページングであることを特徴とする請求項２４に記載の無線通信装置。
【請求項３７】
前記所定のイベントはアラートであることを特徴とする請求項２４に記載の無線通信装置。
【請求項３８】
前記無線通信装置（１０）は携帯電話機であることを特徴とする請求項２４に記載の無線通信装置。
【発明の詳細な説明】
【技術分野】
【０００１】
本願は、米国特許法第１１９条（ｅ）に基づき、２００３年１２月３１日出願の米国仮出願第６０／５３３，５５４号の優先権を主張するものである。この引用により、同出願の開示内容の全体が本明細書に組み込まれる。
【０００２】
本発明は、一般に、無線通信装置に関し、特に、無線通信装置にカラオケを格納し、再生することに関する。
【背景技術】
【０００３】
無線通信装置は一般に、着信音を再生してユーザに着信呼 (incoming call) 等のイベントを通知する。最近の無線通信装置は、あらかじめ録音された着信音を複数記憶しておき、ユーザはその中から好みの着信音を選択できるようになっている。それら着信音は単純な音でもよいが、メロディを形成する一連の音である場合が多い。製造業者は、通常、それらメロディの着信音をオーディオファイルとして装置のメモリにあらかじめロードする。
【発明の開示】
【発明が解決しようとする課題】
【０００４】
無線通信装置において大きな問題となってきていることは、ユーザが着信音をユーザ独自のものに変更できないことである。例えば、製造業者が事前に設定された数の着信音のみを提供するため、ユーザは、通常、同一の着信音を複数の相手に割り当てなければならない。着信音をダウンロード可能とすることで選択肢は広がるが、装置のメモリに関する実用上の制約により、ユーザは、特定の数の事前に録音された着信音に制限される。ユーザが新しい着信音を作成することを可能にするソフトウェアプログラムについても、同様の制約が当てはまる。この問題を回避する方法の１つは、ユーザが選択されたメロディの着信音をユーザの声を使用して拡張することを可能にすることである。しかし、従来の装置では、ユーザが自身の声を録音し、それをメロディの着信音と共にアラートとして再生することはできなかった。
【課題を解決するための手段】
【０００５】
本発明は、無線通信装置のユーザがユーザの声を録音し、それをオーディオファイルとして装置のメモリに格納することを可能にするシステム及び方法を提供する。オーディオファイルは、事前に録音されたメロディの着信音とは別に格納される。装置は、選択された着信音を選択されたボイスファイルと組み合わせることにより、着信呼等の所定のイベントをユーザに示す。組み合わされたオーディオ信号は、着信音としてスピーカを介して再生される。
【０００６】
一実施形態において、無線通信装置は、トランシーバ、メモリ、スピーカ、およびコントローラを具備する。メモリは、事前に録音された着信音と録音された声を、オーディオファイルとして記憶することが可能である。所定のイベントが受信されると、コントローラは２つのオーディオファイルを合成（combine）して、合成オーディオ信号を形成する。この合成オーディオ信号は、ユーザに対してスピーカを通じて再生される。
【発明を実施するための最良の形態】
【０００７】
図１を参照すると、本発明の一実施形態による無線通信装置のブロック図が示され、無線通信装置は図中符号１０で示される。装置１０は、メモリ１２、システムインタフェース１４、ユーザインタフェース１６、トランシーバ１８および制御回路２０を具備する。図示されるように、装置１０は例えば携帯電話である。しかし、本発明は携帯電話に限定されるものではなく、他の通信装置によっても実現可能である。例えば、本発明は、衛星電話、パーソナル通信サービス（ＰＣＳ）装置、携帯情報端末（ＰＤＡ）、パームトップコンピュータ等によっても実現可能である。
【０００８】
メモリ１２は、装置１０のメモリの全体の階層を表しており、ランダムアクセスメモリ（ＲＡＭ）および読み出し専用メモリ（ＲＯＭ）の双方を含む。装置１０の動作に必要とされる動作命令およびデータは、ユーザがアクセス可能な不揮発性パーティションに格納されうる。メモリ１２のこの部分には、後述するように、着信音として使用されるミュージックファイルおよびボイスファイルを格納可能である。テンポラリデータおよび／または命令等の他の情報は、ユーザがアクセスできない揮発性パーティションに格納されうる。メモリ１２は、ＥＰＲＯＭ、ＥＥＰＲＯＭおよび／またはフラッシュメモリ等のデバイスを含み、ディスクリート・デバイスまたはスタックト・デバイスとして実現されてもよく、あるいはマイクロプロセッサ３６と共に集積化されて実現されてもよい。
【０００９】
システムインタフェース１４は、バッテリ充電器、外部演算装置、デジタルビデオカメラ、外部メモリまたはハンズフリーヘッドセット２２等の１または２以上の周辺装置と無線装置１０との相互接続を可能にする。ユーザは、システムインタフェース１４を介して、装置１０のバッテリを充電し、外部周辺装置とデータを交換し、外部周辺装置の動作を制御し、かつ、以下に更に詳細に説明するように、ボイスファイルを録音してメモリ１２に格納することができる。
【００１０】
ユーザインタフェース１６は、キーパッド２４、ディスプレイ２６、ライト２８、マイクロホン３０およびスピーカ３２を具備する。キーパッド２４は、英数字キーパッドと、オプションとして他のナビゲーション操作部とを含む。キーパッド２４により、オペレータは、電話番号をダイヤルし、コマンドを入力し、ゲームを行い、かつメモリ１２に格納された種々のメニューからオプションを選択することが可能である。ディスプレイ２６は、ダイヤルした番号、発信者の識別、画像、ビデオシーケンス、通話状況の情報、メニューオプションおよび他のサービス情報を含む情報をユーザに表示する。ライト２８は、ユーザに対する視覚的表示を可能にする。ライト２８は、例えばキーパッド２４またはディスプレイ２６のバックライトを構成するとよい。
【００１１】
マイクロホン３０は、ユーザの発話を電気音響信号に変換し、装置１０は、その信号を相手側に送信する。通常、マイクロホン３０は、変換された信号をオーディオ処理回路４０を介してトランシーバ１８に送信する。アンテナ３４に結合するトランシーバ１８は、変換された音声信号を１または２以上の相手側に送信する。
【００１２】
スピーカ３２は、電気音響信号を可聴音に変換するもので、オーディオ処理回路４０を介してトランシーバ１８から信号を受信する。ユーザは、着信音として使用されるミュージックファイル等の可聴音をスピーカ３２を介して聞くことになる。以下に更に詳細に説明するように、ユーザは、メモリ１２に格納するために自身の声をマイクロホン３０を使用して録音する間、スピーカ３２を介してミュージックファイルを聴く。例えば、着信呼を受信すると、ミュージックファイルおよびユーザの声は、着信音としてスピーカ３２を介してユーザに対して再生される。
【００１３】
上述したように、トランシーバ１８はアンテナ３４に結合し、装置１０のユーザと１または２以上の相手側との間の音声および／またはデータの通信を可能にする。トランシーバ１８は、ＧＳＭ、ＴＩＡ／ＥＩＡ−１３６、ＣＤＭＡ−Ｏｎｅ、ＣＤＭＡ２０００、ＵＭＴＳ、およびＷ−ＣＤＭＡを含む従来技術において周知の規格に準拠して動作する全機能を備えた携帯無線送受信機である。
【００１４】
制御回路２０は、メモリ１２、システムインタフェース１４、ユーザインタフェース１６、およびトランシーバ１８を相互接続し、装置１０の動作を制御する。制御回路２０は、マイクロプロセッサ３６、入出力回路３８、およびオーディオ処理回路４０を具備する。マイクロプロセッサ３６は、１または２以上のマイクロプロセッサによって実現されてもよく、従来技術において周知の任意の適切なプロセッサでもよい。これは、汎用マイクロプロセッサおよび特定用途向けマイクロプロセッサ、あるいはデジタル信号処理プロセッサ（ＤＳＰ）も含む。マイクロプロセッサ３６は、メモリ１２に格納されたプログラムに従って装置１０の動作を制御し、また、制御信号を生成して、メモリ１２にオーディオファイルとして格納されたミュージックとボイスとを合成（combine）して再生する。後で更に詳細に説明するように、マイクロプロセッサ３６は、選択された着信音を、選択されたボイスファイルと合成して合成オーディオ信号を形成し、かつ合成オーディオ信号をスピーカ３２を介して再生するように、本発明に従って構成される。
【００１５】
入出力回路３８は、システムインタフェース１４、キーパッド２４、ライト２８、オーディオ処理回路４０およびトランシーバ１８と、マイクロプロセッサ３６とをインタフェースする。オーディオ処理回路４０は、基本アナログ出力信号をスピーカ３２に供給し、マイクロホン３０からアナログオーディオ入力を受け取る。装置１０のユーザは、スピーカ３２より再生される可聴音を聞くと共に、トランシーバ１８を介して相手側と通信することができる。
【００１６】
オーディオ処理回路４０は、シンセサイザ４２を具備してもよく、また以下に更に詳細に説明するように、マイクロホン３０からのオーディオ信号およびスピーカ３２へのオーディオ信号を処理するために使用される回路を具備してもよい。シンセサイザ４２は、例えば、装置１０のユーザに対して再生するためのオーディオファイルを合成するＭＩＤＩシンセサイザでもよい。オーディオファイルは、着信音として使用されるポリフォニック音を含むが、それに限定されるものではない。オーディオファイルに保持される情報には、再生されるノートと、トーン、ボリューム、種々の楽器、および／または再生または合成されるサウンドを変更する時期と、特定のノートを持続する長さとに関する情報を含めることができる。シンセサイザ４２は、内蔵ハードウェアおよび／またはソフトウェアを介してそれらファイルを読み出し、ユーザに対してそれらをオーディオとして出力する。
【００１７】
図２は、本発明による移動通信装置１０の一例の外観を示す図である。本実施形態において、装置１０は、システムインタフェース１４にプラグ接続するコネクタ２３を介してハンズフリーヘッドセット２２に結合する。ハンズフリーヘッドセット２２は、ユーザが音響信号を装置１０に送るのを可能にするマイクロホン２２ａと、ユーザが装置１０からのオーディオを聞くことを可能にするスピーカ２２ｂとを更に含む。マイクロホン２２ａおよびスピーカ２２ｂは、マイクロホン３０およびスピーカ３２とほぼ同様に動作する。そのため、ここで、それらの動作の詳細を繰り返す必要はないであろう。ただし、ユーザがスピーカ２２ｂを介してミュージックファイルを聴いている間に、マイクロホン２２ａはユーザの声を取り込むために使用されうるという点については、説明する。
【００１８】
上述したように、従来の移動通信装置では、通常、事前に録音されたミュージックファイルをユーザがメモリ１２から選択し、それを特定の相手先に割り当てることが可能である。相手側からの着信呼を受信すると、装置１０は、選択されたミュージックファイルをスピーカ３２を介して、あるいはハンズフリーヘッドセット２２が使用される場合はスピーカ２２ｂを介して再生する。しかし、従来の装置では、ユーザが自身の声を録音して選択されたミュージックファイルを拡張し、それを使用して所定のイベントをユーザにアラートすることはできない。本発明は、ユーザが自身の声を録音し、それを選択されたミュージックファイルとは別にオーディオファイルとしてメモリ１２に格納することを可能にする。着信呼を受信すると、オーディオ処理回路４０は、選択されたミュージックファイルをユーザの録音したボイスファイルとミックスし、合成オーディオ信号を形成する。合成オーディオ信号は、スピーカ３２またはスピーカ２２ｂを通じて着信音として出力される。
【００１９】
図３は、本発明の一実施形態に従ってユーザが自身の声を録音する方法を示す。方法５０において、まず、ユーザはメモリ１２に格納されている事前に録音されたミュージックファイルを選択し、それをスピーカ３２またはスピーカ２２ｂを通じて再生する（ボックス５２）。ユーザは、装置１０上のメニューシステム（不図示）を使用して、あるいは、例えば従来技術において周知の任意の他の方法により、ミュージックファイルを選択して、再生するようにしてもよい。装置１０が選択されたミュージックファイルを再生している間、マイクロプロセッサ３６は、マイクロホン３０またはマイクロホン２２ａを動作させて、ユーザが自身の声を録音してオーディオファイルとしてメモリ１２に格納することを可能にする（ボックス５４）。
【００２０】
声が録音されると、そのオーディオファイルは、ミュージックファイルとは別に記憶される（ボックス５４）。ミュージックファイルおよびオーディオファイルは、事前にミックスされ単一の合成オーディオファイルとしてメモリ１２に格納されるのではなく、個別に格納され、着信呼が受信された時にミックスされて、合成オーディオ信号が形成される。これにより、事前にミックスされた単一のオーディオファイルには不可能な方法で、ミュージックファイルおよびボイスファイルが、互いに独立して操作および／またはルーティングされる。
【００２１】
しかし、ミュージックファイルおよびボイスファイルを個別に格納するには、２つのオーディオファイルを関連付けるメカニズムが必要である。したがって本発明では、ミュージックファイルおよびボイスファイルを識別する同期データを生成し、その同期データをコンフィギュレーション・ファイルとしてメモリ１２に格納する（ボックス５６）。同期データは、マイクロプロセッサ３６がボイスファイルの再生をミュージックファイルの再生に同期させることを可能にするタイムスタンプを更に含んでもよい。
【００２２】
例として、１秒間の前奏部分を有するミュージックファイルを考える。ユーザは、この１秒間をユーザの録音したボーカル音に対して使用される「導入部」として保存することを望むかもしれない。一実施形態において、マイクロプロセッサ３６は、ミュージックファイルの再生が開始するとタイマを開始し、ユーザがマイクロホン３０またはマイクロホン２２ａに向かって歌い始めるとタイマを停止する。マイクロプロセッサ３６は、タイマの値（例えば、１秒）をタイムスタンプとして同期データに書き込む。別の実施形態においては、マイクロプロセッサ３６は、ユーザの声の開始を検出し、タイマの値をミュージックファイルに含まれる特定のノートオン（note-on）イベントに関連付ける。ここで、最終的にはタイムスタンプとなるタイマの値は、ミュージックファイルの開始からの「ティック（ticks）」（すなわち、ファイルのノート毎の時間単位）数を示してもよい。いずれの場合も、マイクロプロセッサ３６は、録音されたボイスファイルの再生を録音されたミュージックファイルの再生に同期させるために、このタイムスタンプ情報を使用する。
【００２３】
マイクロプロセッサ３６が同期データを生成しかつメモリ１２に格納すると、ユーザは、装置１０上のメニューシステム（不図示）を使用し、同期データを含む生成されたコンフィギュレーション・ファイルを特定の相手に割り当ててもよい。コンフィギュレーション・ファイルを特定の相手側に関連付ける方法が種々存在することは、当業者には理解されよう。しかし、本発明の一実施形態においては、ユーザが現在個別の着信音を割り当てているのとほぼ同様の方法で、コンフィギュレーション・ファイルを選択された相手先に割り当てる（ボックス５８）。
【００２４】
高品質な声の録音を保証するために、本発明は、マイクロホン３０またはマイクロホン２２ａにおける音響のみを録音し、オーディオファイルをメモリ２２に格納する前に受信音声信号から周囲雑音を除去する。図４は、オーディオ処理回路４０が本発明の一実施形態に従ってこの動作を達成する方法を示す図である。オーディオ処理回路４０は、エコーキャンセラ４４およびフィルタ４６を含み、ユーザの声以外の音響を受信信号から除去することができる。例えば、本発明の一実施形態においては、ミュージックファイルはスピーカ３２を介して再生され、マイクロホン３０またはマイクロホン２２ａはユーザの声を取り込む。マイクロホン３０またはマイクロホン２２ａは、音響を録音するため、周囲雑音と共にスピーカ３２からのミュージックファイルの再生を拾う可能性がある。フィルタ４６およびエコーキャンセラ４４は、フィルタリングおよびエコーキャンセルの技術を使用して、この「バックグラウンド」ノイズを除去し、ユーザの声だけを通過させて録音することを可能にする。別の実施形態では、ヘッドセット２２のスピーカ２２ｂを介してミュージックファイルを再生し、マイクロホン３０またはマイクロホン２２ａを介してユーザの声を取り込むことにより、ユーザのボーカルをよりよく分離する。
【００２５】
図４および図５は、本発明の一実施形態に従って、マイクロプロセッサ３６がメモリ１２に格納されたミュージックファイルとユーザの録音されたボイスファイルとを合成し、合成オーディオ信号を形成する方法を示す。方法６０は、装置１０が着信呼を受信すると開始する（ボックス６２）。マイクロプロセッサ３６は、ユーザが発呼者に対して割り当てた適切なコンフィギュレーション・ファイルを特定し、同期データを読み出して、ミュージックファイル、ボイスファイルおよびタイムスタンプ値の一致を判定する（ボックス６４）。一実施形態において、マイクロプロセッサ３６は、発呼者ＩＤを検査しかつそのＩＤを適切なコンフィギュレーション・ファイルとマッチングさせることにより、適切なコンフィギュレーション・ファイルを判定する。コンフィギュレーション・ファイルが見つかると、マイクロプロセッサ３６は、まず、内部タイマを同期データに含まれるタイムスタンプの値に設定する。その後、マイクロプロセッサ３６は、オーディオ処理回路４０のシンセサイザ４２に対して制御信号を生成して、適切なミュージックファイルをメモリ１２から読み出し（ボックス６６）、スピーカ３２またはスピーカ２２ｂを介してミュージックファイルを再生する。シンセサイザ４２がミュージックファイルの再生を開始すると、マイクロプロセッサ３６は、内部タイマを開始する（ボックス６８）。タイマが終了すると、マイクロプロセッサ３６は、シンセサイザ４２に対して別の信号を生成して、関連するボイスファイルのオーディオとミュージックファイルのオーディオとの合成を開始する（ボックス７０）。シンセサイザ４２は、ボイスファイルのオーディオをミュージックファイルのオーディオとミックスして、合成オーディオ信号を形成し、スピーカ３２またはスピーカ２２ｂを介して合成オーディオ信号を着信音として出力する（ボックス７２）。
【００２６】
以上の説明においては、着信音および着信呼に関して本発明を説明したが、本発明はそれに限定されないことは当業者には容易に理解されよう。本発明は、ページング、アラーム、アラート等の任意の所定のイベントの発生をユーザに通知するのに実際に使用することができる。更に、オーディオファイルは音楽および声である必要はなく、また、本発明は２つのオーディオファイルのみをミックスすることに限定されるものではない。実際には、本発明は、２または３以上のミュージックファイルおよび／またはボイスファイル、あるいはそれらの任意の合成によって合成オーディオ信号を形成することをも考慮したものである。
【００２７】
更に、装置１０におけるメッセージおよびシグナリング遅延を補償するために、シンセサイザ４２、マイクロプロセッサ３６および／または他の処理回路は、ユーザに対するミュージックおよび／またはボイスのオーディオファイルの再生および／または制御信号の生成を遅延させる回路に関連付けられてもよい。そのような例としては、等化フィルタまたは圧縮回路がある。この遅延により、オーディオがユーザに対して実際に出力される前に、マイクロプロセッサ３６が制御信号を生成しかつその信号をシンセサイザ４２に送信するのに十分な時間が得られる。これは、スピーカ３２またはスピーカ２２ｂを介して出力される合成オーディオ信号がより正確に同期されているようにユーザに感じられるであろう。
【００２８】
本発明は、その本質的な特徴から逸脱しない範囲において、本明細書に開示した方法以外の方法で実施可能であることはいうまでもない。本実施形態は、あくまで例示にすぎないものであり、限定的に解釈されることを意図するものではない。本発明は、請求の範囲の主旨および均等の範囲内でのあらゆる改変に及ぶことを意図するものである。
【図面の簡単な説明】
【００２９】
【図１】図１は、本発明の一実施形態による無線通信装置を示す図である。
【図２】図２は、本発明の一実施形態によるハンズフリーヘッドセットを有する移動電話を示す図である。
【図３】図３は、本発明の一実施形態に従ってユーザの声を録音する方法を示すフローチャートである。
【図４】図４は、本発明の一実施形態に従ってユーザの声を録音し合成オーディオ信号を再生する装置の一例を示す図である。
【図５】図５は、本発明の一実施形態に従って、合成オーディオ信号を着信音として再生する方法を示すフローチャートである。
【図１】
2007517461.tif 000003
【図２】
2007517461.tif 000004
【図３】
2007517461.tif 000005
【図４】
2007517461.tif 000006
【図５】
2007517461.tif 000007
【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
無線通信装置（１０）のユーザにアラートする方法であって、
所定のイベントを知らせる無線通信ネットワークからの信号の受信に応答して、第１のオーディオファイルと第２のオーディオファイルとを合成して合成オーディオ信号を形成するステップと、
前記無線通信装置（１０）のスピーカ（３２）を通じて前記合成オーディオ信号を再生して前記無線通信装置のユーザに前記所定のイベントをアラートするステップと、
を有することを特徴とする方法。
【請求項２】
前記第１のオーディオファイルは、事前に録音されたミュージックファイルであることを特徴とする請求項１に記載の方法。
【請求項３】
前記第２のオーディオファイルは、ボイスファイルであることを特徴とする請求項１に記載の方法。
【請求項４】
前記ボイスファイルは、ユーザの事前に録音された声を含むことを特徴とする請求項３に記載の方法。
【請求項５】
前記第１のオーディオファイルを前記第２のオーディオファイルに関連付けるステップを更に有することを特徴とする請求項１に記載の方法。
【請求項６】
前記第１のオーディオファイルを前記第２のオーディオファイルに関連付けるステップは、前記第１のオーディオファイルおよび前記第２のオーディオファイルを識別するコンフィギュレーション・ファイルをメモリ（１２）に格納するステップを含むことを特徴とする請求項５に記載の方法。
【請求項７】
前記第１のオーディオファイルを前記第２のオーディオファイルに関連付けるステップは、前記第２のオーディオファイルの再生を前記第１のオーディオファイルに同期させるためのタイミング情報を格納するステップを更に含むことを特徴とする請求項６に記載の方法。
【請求項８】
前記メモリ（１２）に格納された同期情報に従って、前記第１のオーディオファイルと第２のオーディオファイルとを合成するための信号を生成するステップを更に有することを特徴とする請求項１に記載の方法。
【請求項９】
前記同期情報は、前記第２のオーディオファイルの再生を前記第１のオーディオファイルに同期させるタイムスタンプを含むことを特徴とする請求項８に記載の方法。
【請求項１０】
前記所定のイベントは着信呼であることを特徴とする請求項１に記載の方法。
【請求項１１】
前記所定のイベントはアラームであることを特徴とする請求項１に記載の方法。
【請求項１２】
前記所定のイベントはページングであることを特徴とする請求項１に記載の方法。
【請求項１３】
前記所定のイベントはアラートであることを特徴とする請求項１に記載の方法。
【請求項１４】
前記無線通信装置（１０）に通信可能に接続されたマイクロホン（３０）を使用して、ユーザの声を録音するステップを更に有することを特徴とする請求項１に記載の方法。
【請求項１５】
前記無線通信装置（１０）のメモリ（１２）に前記第１のオーディオファイルおよび第２のオーディオファイルを格納するステップと、
前記無線通信装置において前記合成オーディオ信号を着信音として再生して前記無線通信装置のユーザに着信呼をアラートするステップと、
を更に有することを特徴とする請求項１に記載の方法。
【請求項１６】
前記メモリ（１２）に格納された前記第１のオーディオファイルおよび第２のオーディオファイルを識別する情報を含む同期データを前記メモリ（１２）に格納するステップを更に有することを特徴とする請求項１５に記載の方法。
【請求項１７】
前記第１のオーディオファイルと前記第２のオーディオファイルとを合成して合成オーディオ信号を形成するステップは、事前に録音されたミュージックファイルを事前に録音されたボイスファイルとミックスするステップを含むことを特徴とする請求項１６に記載の方法。
【請求項１８】
無線通信ネットワークとの間で信号の通信を行う無線トランシーバ（１８）と、
ユーザに対してオーディオを出力するためのスピーカ（３２）と、
第１のオーディオファイルおよび第２のオーディオファイルを格納するためのメモリ（１２）と、
所定のイベントを知らせる前記無線通信ネットワークからの信号の受信に応答して前記第１のオーディオファイルと前記第２のオーディオファイルとを合成して合成オーディオ信号を形成するとともに、前記スピーカ（３２）を通じて前記合成オーディオ信号を再生して前記ユーザに前記所定のイベントをアラートするように構成されたコントローラ（３６）と、
を有することを特徴とする無線通信装置（１０）。
【請求項１９】
前記スピーカ（３２）を通じて前記第１のオーディオファイルを再生している間に、前記第２のオーディオファイルを録音するためのマイクロホン（３０）を更に有することを特徴とする請求項１８に記載の無線通信装置。
【請求項２０】
前記マイクロホン（３０）は、ユーザの声を録音することを特徴とする請求項１９に記載の無線通信装置。
【請求項２１】
前記マイクロホン（３０）は、前記無線通信装置（１０）に結合されるハンズフリーヘッドセット（２２）に設けられることを特徴とする請求項２０に記載の無線通信装置。
【請求項２２】
前記コントローラ（３６）は、更に、前記第１のオーディオファイルを前記第２のオーディオファイルに関連付け、該関連付けを前記メモリ（１２）に格納するように構成されることを特徴とする請求項１８に記載の無線通信装置。
【請求項２３】
前記関連付けは、前記メモリ（１２）に格納された前記第１のオーディオファイルおよび前記第２のオーディオファイルを識別する識別データを含むことを特徴とする請求項２２に記載の無線通信装置。
【請求項２４】
前記関連付けは、前記第２のオーディオファイルの再生を前記第１のオーディオファイルの再生に同期させるタイミングデータを更に含むことを特徴とする請求項２３に記載の無線通信装置。
【請求項２５】
前記コントローラ（３６）は、更に、前記メモリ（１２）に格納された前記関連付けに従ってシンセサイザ（４２）を制御するように構成されることを特徴とする請求項２４に記載の無線通信装置。
【請求項２６】
前記コントローラ（３６）と前記メモリ（１２）とに通信可能に結合されるシンセサイザ（４２）を更に有することを特徴とする請求項１８に記載の無線通信装置。
【請求項２７】
前記コントローラ（３６）は、更に、前記シンセサイザ（４２）に前記所定のイベントに応答して前記第１のオーディオファイルと前記第２のオーディオファイルとを合成させるように構成されることを特徴とする請求項２６に記載の無線通信装置。
【請求項２８】
前記所定のイベントは着信呼であることを特徴とする請求項１８に記載の無線通信装置。
【請求項２９】
前記所定のイベントはアラームであることを特徴とする請求項１８に記載の無線通信装置。
【請求項３０】
前記所定のイベントはページングであることを特徴とする請求項１８に記載の無線通信装置。
【請求項３１】
前記所定のイベントはアラートであることを特徴とする請求項１８に記載の無線通信装置。
【請求項３２】
前記無線通信装置（１０）は携帯電話機であることを特徴とする請求項１８に記載の無線通信装置。
【国際調査報告】
2007517461.tif 000008
2007517461.tif 000009
2007517461.tif 000010